(57)【特許請求の範囲】
【請求項１】
インテリジェント電気機器を動作させる方法であって、
スマートウェアラブルデバイスによって放送されたメッセージを取得することと、
前記メッセージに基づいて、前記スマートウェアラブルデバイスがデフォルトのスマートウェアラブルデバイスであるか否かを判断することと、
前記メッセージに基づいて、前記メッセージの信号強度を決定し、前記メッセージの信号強度に基づいて、前記スマートウェアラブルデバイスと前記インテリジェント電気機器との間の距離を決定することと、
前記スマートウェアラブルデバイスがデフォルトのスマートウェアラブルデバイスとして決定された場合に、既定のパラメータに基づいて、前記インテリジェント電気機器の動作モードを制御することであって、前記既定のパラメータが、前記スマートウェアラブルデバイスと前記インテリジェント電気機器との間の距離を含む、ことと
を含み、
前記既定のパラメータが前記スマートウェアラブルデバイスと前記インテリジェント電気機器との間の距離を含んでいる場合に、前記既定のパラメータに基づいて、前記インテリジェント電気機器の動作モードを制御することが、
既定の期間内において前記距離が第１閾値よりも小さい又は第１既定範囲内にある場合に、前記インテリジェント電気機器をオンにすることと、
既定の期間内において前記距離が第２閾値よりも大きい又は第２既定範囲内にある場合に、前記インテリジェント電気機器をオフにすることとを含み、
前記第１閾値は、前記第２閾値よりも小さい又は等しく、前記第１既定範囲の最大値は、前記第２既定範囲の最小値よりも小さい又は等しく、
前記インテリジェント電気機器がスマート空調機であって、前記方法が、
前記メッセージの信号発信方向を取得することと、
前記メッセージの信号発信方向に基づいて、前記スマート空調機のスイング風方向を制御することと
をさらに含む、方法。
【請求項２】
前記メッセージに基づいて、前記スマートウェアラブルデバイスがデフォルトのスマートウェアラブルデバイスであるか否かを判断することが、
前記メッセージから前記スマートウェアラブルデバイスの識別子を取得することと、
前記識別子が前記インテリジェント電気機器を制御するための端末中に予め設定された第１デバイス識別子であるか否かの判断、又は、前記識別子が前記インテリジェント電気機器にバインドした第２デバイス識別子であるか否かの判断、又は、前記識別子が前記インテリジェント電気機器を制御するための端末中に予め設定された第１デバイス識別子及び前記インテリジェント電気機器にバインドした第２デバイス識別子の両方であるか否かの判断のうちのいずれか１つの判断を行うことと、
前記判断の結果が是である場合には、前記スマートウェアラブルデバイスがデフォルトのスマートウェアラブルデバイスであると決定することと、
前記判断の結果が否である場合には、前記スマートウェアラブルデバイスがデフォルトのスマートウェアラブルデバイスでないと決定することと、
を含む、請求項１に記載の方法。
【請求項３】
前記スマートウェアラブルデバイスの識別子が、前記スマートウェアラブルデバイスのハードウェアアドレス又は前記スマートウェアラブルデバイスの唯一の名称を含む、請求項２に記載の方法。
【請求項４】
前記既定のパラメータに基づいて、前記インテリジェント電気機器の動作モードを制御することが、
前記既定のパラメータ範囲と前記インテリジェント電気機器の動作モードとの既定の対応関係に基づいて、前記既定のパラメータに対応する前記インテリジェント電気機器の動作モードを決定することと、
前記インテリジェント電気機器の動作モードを、前記既定のパラメータに対応するインテリジェント電気機器の動作モードに調整することと
を含む、請求項１〜３のいずれか１項に記載の方法。
【請求項５】
既定の期間内に前記スマートウェアラブルデバイスによって放送されたメッセージを受信しなかった場合、又は、前記メッセージに基づいて、前記スマートウェアラブルデバイスがデフォルトのスマートウェアラブルデバイスであるか否かを判断できなかった場合に、前記インテリジェント電気機器の動作モードを既定の動作モードに調整することをさらに含む、請求項２に記載の方法。
【請求項６】
インテリジェント電気機器を動作させる装置であって、
スマートウェアラブルデバイスによって放送されたメッセージを取得するように構成された第１取得モジュールと、
前記メッセージに基づいて、前記スマートウェアラブルデバイスがデフォルトのスマートウェアラブルデバイスであるか否かを判断するように構成された判断モジュールと、
前記メッセージに基づいて、前記メッセージの信号強度を決定し、前記メッセージの信号強度に基づいて、前記スマートウェアラブルデバイスと前記インテリジェント電気機器との間の距離を決定するように構成された第３決定モジュールと、
前記スマートウェアラブルデバイスがデフォルトのスマートウェアラブルデバイスとして決定された場合に、既定のパラメータに基づいて、前記インテリジェント電気機器の動作モードを制御するように構成された第１制御モジュールであって、前記既定のパラメータは、前記スマートウェアラブルデバイスと前記インテリジェント電気機器との間の距離を含む第１制御モジュールと
を含み、
前記既定のパラメータが前記スマートウェアラブルデバイスと前記インテリジェント電気機器との間の距離を含んでいる場合に、前記第１制御モジュールが、
既定の期間内において前記距離が第１閾値よりも小さい又は第１既定範囲内にある場合に、前記インテリジェント電気機器をオンにするように構成された第１オン化サブモジュールと、
既定の期間内において前記距離が第２閾値よりも大きい又は第２既定範囲内にある場合に、前記インテリジェント電気機器をオフにするように構成された第１オフ化サブモジュールとを含み、
前記第１閾値は、前記第２閾値よりも小さい又は等しく、前記第１既定範囲の最大値は、前記第２既定範囲の最小値よりも小さい又は等しく、
前記インテリジェント電気機器がスマート空調機であって、前記装置が、
前記メッセージの信号発信方向を取得するように構成された第２取得モジュールと、
前記メッセージの信号発信方向に基づいて、前記スマート空調機のスイング風方向を制御するように構成された第２制御モジュールと
をさらに含む、装置。
【請求項７】
前記判断モジュールが、
前記メッセージから前記スマートウェアラブルデバイスの識別子を取得するように構成された取得サブモジュールと、
前記識別子が前記インテリジェント電気機器を制御するための端末中に予め設定された第１デバイス識別子であるか否かの判断、又は、前記識別子が前記インテリジェント電気機器にバインドした第２デバイス識別子であるか否かの判断、又は、前記識別子が前記インテリジェント電気機器を制御するための端末中に予め設定された第１デバイス識別子及び前記インテリジェント電気機器にバインドした第２デバイス識別子の両方であるか否かの判断のうちのいずれか１つの判断を行うように構成された判断サブモジュールと、
前記判断の結果が是である場合には、前記スマートウェアラブルデバイスがデフォルトのスマートウェアラブルデバイスであると決定するように構成された第１決定サブモジュールと、
前記判断の結果が否である場合には、前記スマートウェアラブルデバイスがデフォルトのスマートウェアラブルデバイスでないと決定するように構成された第２決定サブモジュールと
を含む、請求項６に記載の装置。
【請求項８】
前記スマートウェアラブルデバイスの識別子が、前記スマートウェアラブルデバイスのハードウェアアドレス又は前記スマートウェアラブルデバイスの唯一の名称を含む、請求項７に記載の装置。
【請求項９】
前記第１制御モジュールが、
前記既定のパラメータ範囲と前記インテリジェント電気機器の動作モードとの既定の対応関係に基づいて、前記既定のパラメータに対応する前記インテリジェント電気機器の動作モードを決定するように構成された第３決定サブモジュールと、
前記インテリジェント電気機器の動作モードを、前記既定のパラメータに対応するインテリジェント電気機器の動作モードに調整するように構成された調整サブモジュールと
を含む、請求項６〜８のいずれか１項に記載の装置。
【請求項１０】
既定の期間内に前記スマートウェアラブルデバイスによって放送されたメッセージを受信しなかった場合、又は、前記メッセージに基づいて、前記スマートウェアラブルデバイスがデフォルトのスマートウェアラブルデバイスであるか否かを判断できなかった場合に、前記インテリジェント電気機器の動作モードを既定の動作モードに調整するように構成された調整モジュールをさらに含む、請求項７に記載の装置。
【請求項１１】
コンピュータ上で動作する際に、請求項１〜５のいずれか１項に記載の方法を該コンピュータに実行させるための、コンピュータプログラム。
【請求項１２】
コンピュータ読み取り可能記憶媒体であって、該コンピュータ読み取り可能記憶媒体に保存された請求項１１に記載のコンピュータプログラムを含む、コンピュータ読み取り可能記憶媒体。
【発明の詳細な説明】
【技術分野】
【０００１】
関連出願の相互参照
本出願は、２０１５年８月１３日に中国国家知識産権局に出願された中国特許出願第２０１５１０４９８２３８６号に基づくものであると共に、該中国特許出願の優先権を主張するものであり、該中国特許出願の全ての内容が、参照により本出願に組み込まれる。
【０００２】
技術分野
本開示は、概してスマートホーム技術分野に関し、より具体的には、インテリジェント電気機器を動作させる方法及び装置に関する。
【背景技術】
【０００３】
今日では、スマートホームは、相互接続ネットワークの影響下における機能化を体現している。スマートホームは、モノのインターネット技術を通じて、家の中の種々の機器（空調機、音響・映像機器、照明システム、カーテンコントローラ、セキュリティ保護システム、デジタルシアターシステム、ビデオサーバ、ビデオアーカイブシステム、ネットワーク家電など）をまとめて接続して、家電制御、照明制御、電話のリモート制御、室内外のリモート制御、盗難警報、環境監視、暖房換気制御、赤外線伝達及びプログラム可能なタイミング制御などの様々な機能及び手段を提供する。普通の家と比べて、スマートホームは従来の住居機能を有するだけでなく、アーキテクチャ、ネットワーク通信、情報家電及び設備自動化の利点を兼ね備えており、全方位的情報の対話機能を提供する。
【発明の概要】
【０００４】
本開示の実施形態は、インテリジェント電気機器を動作させる方法及び装置を提供する。その技術的解決手段は、以下に示される。
【０００５】
本開示における実施形態の第一態様によれば、インテリジェント電気機器を動作させる方法であって、
スマートウェアラブルデバイスによって放送されたメッセージを取得することと、
前記メッセージに基づいて、前記スマートウェアラブルデバイスがデフォルトのスマートウェアラブルデバイスであるか否かを判断することと、
前記スマートウェアラブルデバイスがデフォルトのスマートウェアラブルデバイスとして決定された場合に、既定のパラメータに基づいて、前記インテリジェント電気機器の動作モードを制御することであって、前記既定のパラメータは、前記スマートウェアラブルデバイスと前記インテリジェント電気機器との間の距離を反映するパラメータを含む、ことと
を含んでいる方法が提供される。
【０００６】
一実施形態では、前記メッセージに基づいて、前記スマートウェアラブルデバイスがデフォルトのスマートウェアラブルデバイスであるか否かを判断することが、
前記メッセージから前記スマートウェアラブルデバイスの識別子を取得することと、
前記識別子が前記インテリジェント電気機器を制御するための端末中に予め設定された第１デバイス識別子であるか否か、又は、前記識別子が前記インテリジェント電気機器にバインドした第２デバイス識別子であるか否か、又は、前記識別子が前記インテリジェント電気機器を制御するための端末中に予め設定された第１デバイス識別子及び前記インテリジェント電気機器にバインドした第２デバイス識別子の両方であるか否かを判断することと、
前記判断の結果が是である場合には、前記スマートウェアラブルデバイスがデフォルトのスマートウェアラブルデバイスであると決定することと、
前記判断の結果が否である場合には、前記スマートウェアラブルデバイスがデフォルトのスマートウェアラブルデバイスでないと決定することと、
を含んでいてもよい。
【０００７】
一実施形態では、前記スマートウェアラブルデバイスの識別子が、前記スマートウェアラブルデバイスのハードウェアアドレス又は前記スマートウェアラブルデバイスの唯一の名称を含んでいてもよい。
【０００８】
一実施形態では、前記既定のパラメータが、前記スマートウェアラブルデバイスとインテリジェント電気機器との間の距離及び前記メッセージの信号強度のうち任意の１つ又は複数を含んでいてもよい。
【０００９】
一実施形態では、前記既定のパラメータに基づいて前記インテリジェント電気機器の動作モードを制御する前に、前記方法が、
ＧＰＳ技術を通じて、前記スマートウェアラブルデバイスの位置を取得し、前記スマートウェアラブルデバイスの位置に基づいて、前記スマートウェアラブルデバイスと前記インテリジェント電気機器との間の距離を決定すること、又は、
赤外線探知技術を利用して、前記スマートウェアラブルデバイスと前記インテリジェント電気機器との距離とを決定すること、又は、
前記メッセージに基づいて、前記メッセージの信号強度を決定すること
のうち任意の１つの操作又は複数の操作を含んでいてもよい。
【００１０】
一実施形態では、前記既定のパラメータが前記スマートウェアラブルデバイスと前記インテリジェント電気機器との間の距離を含んでいる場合に、前記既定のパラメータに基づいて、前記インテリジェント電気機器の動作モードを制御することが、
既定の期間内において前記距離が第１閾値よりも小さい又は第１既定範囲内にある場合に、前記インテリジェント電気機器をオンにすること、及び／又は、
既定の期間内において前記距離が第２閾値よりも大きい又は第２既定範囲内にある場合に、前記インテリジェント電気機器をオフにすることを含んでいてもよく、
前記第１閾値は、前記第２閾値よりも小さい又は等しく、前記第１既定範囲の最大値は、前記第２既定範囲の最小値よりも小さい又は等しい。
【００１１】
一実施形態では、前記既定のパラメータが前記メッセージの信号強度を含んでいる場合に、前記既定のパラメータに基づいて、前記インテリジェント電気機器の動作モードを制御することが、
既定の期間内において前記信号強度が第３閾値よりも大きい又は第３既定範囲内にある場合に、前記インテリジェント電気機器をオンにすること、及び／又は、
既定の期間内において前記信号強度が第４閾値よりも小さい又は第４既定範囲内にある場合に、前記インテリジェント電気機器をオフにすることを含んでいてもよく、
前記第３閾値は、前記第４閾値よりも大きい又は等しく、前記第３既定範囲の最小値は、前記第４既定範囲の最大値よりも大きい又は等しい。
【００１２】
一実施形態では、前記既定のパラメータに基づいて、前記インテリジェント電気機器の動作モードを制御することが、
前記既定のパラメータ範囲と前記インテリジェント電気機器の動作モードとの既定の対応関係に基づいて、前記既定のパラメータに対応する前記インテリジェント電気機器の動作モードを決定することと、
前記インテリジェント電気機器の動作モードを、前記既定のパラメータに対応するインテリジェント電気機器の動作モードに調整することと
を含んでいてもよい。
【００１３】
一実施形態では、前記インテリジェント電気機器が、スマート空調機、スマートテレビ、インテリジェントランプ、スマートタブレットコンピュータ、インテリジェント電気温水器を含んでいてもよい。
【００１４】
一実施形態では、前記方法が、
既定の期間内に前記スマートウェアラブルデバイスによって放送されたメッセージを受信しなかった場合、又は、前記メッセージに基づいて、前記スマートウェアラブルデバイスがデフォルトのスマートウェアラブルデバイスであるか否かを判断できなかった場合に、前記インテリジェント電気機器の動作モードを既定の動作モードに調整することをさらに含んでいてもよい。
【００１５】
一実施形態では、前記インテリジェント電気機器がスマート空調機である場合に、前記方法が、
前記メッセージの信号発信方向を取得することと、
前記メッセージの信号発信方向に基づいて、前記スマート空調機のスイング風方向を制御することと
をさらに含んでいてもよい。
【００１６】
本開示における実施形態の第二態様によれば、インテリジェント電気機器を動作させる装置であって、
スマートウェアラブルデバイスによって放送されたメッセージを取得するように構成された第１取得モジュールと、
前記メッセージに基づいて、前記スマートウェアラブルデバイスがデフォルトのスマートウェアラブルデバイスであるか否かを判断するように構成された判断モジュールと、
前記スマートウェアラブルデバイスがデフォルトのスマートウェアラブルデバイスとして決定された場合に、既定のパラメータに基づいて、前記インテリジェント電気機器の動作モードを制御するように構成された第１制御モジュールであって、前記既定のパラメータは、前記スマートウェアラブルデバイスと前記インテリジェント電気機器との間の距離を反映するパラメータを含む第１制御モジュールと
を含んでいる装置が提供される。
【００１７】
一実施形態では、前記判断モジュールが、
前記メッセージから前記スマートウェアラブルデバイスの識別子を取得するように構成された取得サブモジュールと、
前記識別子が前記インテリジェント電気機器を制御するための端末中に予め設定された第１デバイス識別子であるか否か、又は、前記識別子が前記インテリジェント電気機器にバインドした第２デバイス識別子であるか否か、又は、前記識別子が前記インテリジェント電気機器を制御するための端末中に予め設定された第１デバイス識別子及び前記インテリジェント電気機器にバインドした第２デバイス識別子の両方であるか否かを判断するように構成された判断サブモジュールと、
前記判断の結果が是である場合には、前記スマートウェアラブルデバイスがデフォルトのスマートウェアラブルデバイスであると決定するように構成された第１決定サブモジュールと、
前記判断の結果が否である場合には、前記スマートウェアラブルデバイスがデフォルトのスマートウェアラブルデバイスでないと決定するように構成された第２決定サブ判断モジュールと
を含んでいてもよい。
【００１８】
一実施形態では、前記スマートウェアラブルデバイスの識別子が、前記スマートウェアラブルデバイスのハードウェアアドレス又は前記スマートウェアラブルデバイスの唯一の名称を含んでいてもよい。
【００１９】
一実施形態では、前記既定のパラメータが、前記スマートウェアラブルデバイスとインテリジェント電気機器との間の距離及び前記メッセージの信号強度のうち任意の１つ又は複数を含んでいてもよい。
【００２０】
一実施形態では、前記装置が、
ＧＰＳ技術を通じて、前記スマートウェアラブルデバイスの位置を取得し、前記スマートウェアラブルデバイスの位置に基づいて、前記スマートウェアラブルデバイスと前記インテリジェント電気機器との間の距離を決定するように構成された第１決定モジュール、又は、
赤外線探知技術を利用して、前記スマートウェアラブルデバイスと前記インテリジェント電気機器との距離とを決定するように構成された第２決定モジュール、又は、
前記メッセージに基づいて、前記メッセージの信号強度を決定するように構成された第３決定モジュール
のうち任意の１つ又は複数のモジュールを含んでいてもよい。
【００２１】
一実施形態では、前記第１制御モジュールが、
既定の期間内において前記距離が第１閾値よりも小さい又は第１既定範囲内にある場合に、前記インテリジェント電気機器をオンにするように構成された第１オン化サブモジュール、及び／又は、
既定の期間内において前記距離が第２閾値よりも大きい又は第２既定範囲内にある場合に、前記インテリジェント電気機器をオフにするように構成された第１オフ化サブモジュールを含んでいてもよく、
前記第１閾値は、前記第２閾値よりも小さい又は等しく、前記第１既定範囲の最大値は、前記第２既定範囲の最小値よりも小さい又は等しい。
【００２２】
一実施形態では、前記既定のパラメータが前記メッセージの信号強度を含んでいる場合に、前記第１制御モジュールが、
既定の期間内において前記信号強度が第３閾値よりも大きい又は第３既定範囲内にある場合に、前記インテリジェント電気機器をオンにするように構成された第２オン化サブモジュール、及び／又は、
既定の期間内において前記信号強度が第４閾値よりも小さい又は第４既定範囲内にある場合に、前記インテリジェント電気機器をオフにするように構成された第２オフ化サブモジュールを含んでいてもよく、
前記第３閾値は、前記第４閾値よりも大きい又は等しく、前記第３既定範囲の最小値は、前記第４既定範囲の最大値よりも大きい又は等しい。
【００２３】
一実施形態では、前記第１制御モジュールが、
前記既定のパラメータ範囲と前記インテリジェント電気機器の動作モードとの既定の対応関係に基づいて、前記既定のパラメータに対応する前記インテリジェント電気機器の動作モードを決定するように構成された第３決定サブモジュールと、
前記インテリジェント電気機器の動作モードを、前記既定のパラメータに対応するインテリジェント電気機器の動作モードに調整するように構成された調整サブモジュールと
を含んでいてもよい。
【００２４】
一実施形態では、前記インテリジェント電気機器が、スマート空調機、スマートテレビ、インテリジェントランプ、スマートタブレットコンピュータ、インテリジェント電気温水器を含んでいてもよい。
【００２５】
一実施形態では、前記装置が、
既定の期間内に前記スマートウェアラブルデバイスによって放送されたメッセージを受信しなかった場合、又は、前記メッセージに基づいて、前記スマートウェアラブルデバイスがデフォルトのスマートウェアラブルデバイスであるか否かを判断できなかった場合に、前記インテリジェント電気機器の動作モードを既定の動作モードに調整するように構成された調整モジュールをさらに含んでいてもよい。
【００２６】
一実施形態では、前記インテリジェント電気機器がスマート空調機である場合に、前記装置が、
前記メッセージの信号発信方向を取得するように構成された第２取得モジュールと、
前記メッセージの信号発信方向に基づいて、前記スマート空調機のスイング風方向を制御するように構成された第２制御モジュールと
をさらに含んでいてもよい。
【００２７】
本開示における実施形態の第三態様によれば、インテリジェント電気機器を動作させる装置であって、
プロセッサと、
前記プロセッサにより実行可能な命令を保存するためのメモリと
を含んでおり、
前記プロセッサは、
スマートウェアラブルデバイスによって放送されたメッセージを取得し、
前記メッセージに基づいて、前記スマートウェアラブルデバイスがデフォルトのスマートウェアラブルデバイスであるか否かを判断し、
前記スマートウェアラブルデバイスがデフォルトのスマートウェアラブルデバイスとして決定された場合に、既定のパラメータに基づいて、前記インテリジェント電気機器の動作モードを制御し、前記既定のパラメータは、前記スマートウェアラブルデバイスと前記インテリジェント電気機器との間の距離を反映するパラメータを含む、
ように構成されている装置が提供される。
【００２８】
本開示の実施形態により提供される技術的解決手段は、以下の有利な効果を有し得る。
上述の技術的解決手段は、スマートウェアラブルデバイスによって放送されたメッセージを取得し、メッセージに基づいて、スマートウェアラブルデバイスがデフォルトのスマートウェアラブルデバイスであるか否かを判断して、スマートウェアラブルデバイスがデフォルトのスマートウェアラブルデバイスとして決定された場合に、スマートウェアラブルデバイスとインテリジェント電気機器との間の距離を反映するパラメータを含む既定のパラメータに基づいて、インテリジェント電気機器の動作モードを制御する。したがって、スマートウェアラブルデバイスとインテリジェント電気機器との間の距離に基づいてインテリジェント電気機器をスマートに制御することができ、それによって、ユーザによる手動操作の必要がなくなり、ユーザエクスペリエンスが向上する。
【００２９】
上述の一般的説明及び後述の詳細な説明は、単なる例示及び説明であって、本開示を限定するように解釈されるものではないことを理解されたい。
【図面の簡単な説明】
【００３０】
添付の図面は、本明細書に組み込まれると共に本明細書の一部を構成し、本開示に一致する実施形態を示しており、本明細書と共に本開示の原理を説明するのに役立つ。
【００３１】
【図１】図１は、例示の実施形態に基づくインテリジェント電気機器を動作させる方法を示すフローチャートである。
【図２】図２は、例示の実施形態に基づくインテリジェント電気機器を動作させる方法におけるステップＳ１０２を示すフローチャートである。
【図３Ａ】図３Ａは、例示の実施形態に基づく別のインテリジェント電気機器を動作させる方法を示すフローチャートである。
【図３Ｂ】図３Ｂは、例示の実施形態に基づくまた別のインテリジェント電気機器を動作させる方法を示すフローチャートである。
【図３Ｃ】図３Ｃは、例示の実施形態に基づくさらなるインテリジェント電気機器を動作させる方法を示すフローチャートである。
【図３Ｄ】図３Ｄは、例示の実施形態に基づくインテリジェント電気機器を動作させる方法におけるステップＳ１０３を示すフローチャートである。
【図３Ｅ】図３Ｅは、例示の実施形態に基づくインテリジェント電気機器を動作させる方法におけるステップＳ１０３を示す別のフローチャートである。
【図４Ａ】図４Ａは、例示の実施形態に基づくインテリジェント電気機器を動作させる方法におけるステップＳ１０３を示す別のフローチャートである。
【図４Ｂ】図４Ｂは、例示の実施形態に基づくインテリジェント電気機器を動作させる方法を示すフローチャートである。
【図５】図５は、例示の実施形態に基づくインテリジェント電気機器を動作させる方法を示すフローチャートである。
【図６】図６は、例示の実施形態に基づく別のインテリジェント電気機器を動作させる方法を示すフローチャートである。
【図７】図７は、例示の実施形態に基づくインテリジェント電気機器を動作させる装置を示すブロック図である。
【図８】図８は、例示の実施形態に基づくインテリジェント電気機器を動作させる装置における判断モジュール７２を示すブロック図である。
【図９】図９は、例示の実施形態に基づく別のインテリジェント電気機器を動作させる装置を示すブロック図である。
【図１０】図１０は、例示の実施形態に基づくインテリジェント電気機器を動作させる装置における第１制御モジュール７３を示すブロック図である。
【図１１】図１１は、例示の実施形態に基づくインテリジェント電気機器を動作させる装置における第１制御モジュール７３を示す別のブロック図である。
【図１２】図１２は、例示の実施形態に基づくインテリジェント電気機器を動作させる装置における第１制御モジュール７３を示すブロック図である。
【図１３】図１３は、例示の実施形態に基づくまた別のインテリジェント電気機器を動作させる装置を示すブロック図である。
【図１４】図１４は、例示の実施形態に基づくさらなるインテリジェント電気機器を動作させる装置を示すブロック図である。
【図１５】図１５は、例示の実施形態に基づくインテリジェント電気機器を動作させる装置に適用されるブロック図である。
【発明を実施するための形態】
【００３２】
以下、例示の実施形態について詳細に説明し、その例示を添付の図面中に示す。以下の説明が添付の図面に言及する際には、他に述べられていない限り、異なる図面における同一の数字は同一又は類似の要素を示す。例示の実施形態に係る以下の説明にて明示される実施方式は、本開示と一致する全ての実施方式を表すものではない。むしろ、それらは、添付の特許請求の範囲に詳述されるような、本開示に関するいくつかの態様と一致する装置及び方法の単なる例である。
【００３３】
図１は、例示の実施形態に基づくインテリジェント電気機器を動作させる方法を示すフローチャートである。図１に示すように、該方法は、インテリジェント電気機器、携帯端末又は固定端末にて適用することができるが、本開示の実施形態ではこれらに限定されない。上述の方法は、以下のステップＳ１０１〜Ｓ１０４を含む。
【００３４】
ステップＳ１０１では、スマートウェアラブルデバイスによって放送されたメッセージを取得する。
【００３５】
インテリジェント電気機器は、Ｗｉ−Ｆｉ、Ｂｌｕｅｔｏｏｔｈ（登録商標）、Ｚｉｇｂｅｅ（登録商標）等（同時に複数のプロトコルをサポートしていてもよいが、少なくともＢｌｕｅｔｏｏｔｈ（登録商標）が必要である）の無線通信プロトコルを使用している。インテリジェント電気機器は、ユーザに使用される端末と通信することができ、端末のクライアント側からローカル又はリモート制御命令を受信する。ユーザは、スマートバンド、スマートグラス等の、Ｂｌｕｅｔｏｏｔｈ（登録商標）プロトコルを使用しているスマートウェアラブルデバイスを着用し、このようなスマートウェアラブルデバイスは、インテリジェント電気機器とバインドしていてもよく、バインドしていなくてもよい。スマートウェアラブルデバイスは、周囲に無線メッセージを周期的に放送する。該方法がインテリジェント電気機器において用いられる時には、インテリジェント電気機器が、Ｗｉ−Ｆｉ、Ｂｌｕｅｔｏｏｔｈ（登録商標）又はＺｉｇｂｅｅ（登録商標）を通じて、スマートウェアラブルデバイスの放送したメッセージを受信する。該方法がユーザに使用される端末において用いられる時には、該端末が、Ｗｉ−Ｆｉ、Ｂｌｕｅｔｏｏｔｈ（登録商標）又はＺｉｇｂｅｅ（登録商標）を通じて、スマートウェアラブルデバイスの放送したメッセージを受信する。
【００３６】
ステップＳ１０２では、メッセージに基づいて、スマートウェアラブルデバイスがデフォルトのスマートウェアラブルデバイスであるか否かを判断する。
【００３７】
一実施形態では、図２に示すように、ステップＳ１０２は、以下のステップＳ２０１〜Ｓ２０４を実行してもよい。
【００３８】
ステップＳ２０１では、メッセージからスマートウェアラブルデバイスの識別子を取得する。
【００３９】
スマートウェアラブルデバイスの放送したメッセージは、スマートウェアラブルデバイスの識別子を含んでおり、これによって他のデバイスとの識別が容易になる。インテリジェント電気機器又は端末は、メッセージを受信した後に、メッセージ中のスマートウェアラブルデバイスの識別子を解析する。一実施形態では、スマートウェアラブルデバイスの識別子は、スマートウェアラブルデバイスのハードウェアアドレスを含んでいてもよく、スマートウェアラブルデバイスの唯一の名称を含んでいてもよい。
【００４０】
ステップＳ２０２では、識別子がインテリジェント電気機器を制御するための端末中に予め設定された第１デバイス識別子であるか否か、又は、識別子がインテリジェント電気機器にバインドした第２デバイス識別子であるか否か、又は、識別子が第１デバイス識別子及び第２デバイス識別子の両方であるか否かを判断する。判断の結果が是である場合には、続いてステップＳ２０３を実行する。判断の結果が否である場合には、続いてステップＳ２０４を実行する。
【００４１】
本ステップでは、スマートウェアラブルデバイスがその識別子を通じてインテリジェント電気機器と予めバインドしていてもよく、スマートウェアラブルデバイスがインテリジェント電気機器とバインドしていていなくても、ユーザに使用される端末にて、インテリジェント電気機器とリンクが生じるデバイスの識別子を設定していてもよい。ユーザは予め、ユーザに使用される端末のクライアント側において、該端末にバインドしたスマートウェアラブルデバイスとインテリジェント電気機器とにリンクが生じるように設定していてもよい。
【００４２】
ステップＳ２０３では、ステップＳ２０２の判断の結果が是である場合には、スマートウェアラブルデバイスがデフォルトのスマートウェアラブルデバイスであると決定する。
【００４３】
ステップＳ２０４では、ステップＳ２０２の判断の結果が否である場合には、スマートウェアラブルデバイスがデフォルトのスマートウェアラブルデバイスでないと決定する。
【００４４】
本実施形態では、スマートウェアラブルデバイスの識別子を利用して、スマートウェアラブルデバイスがデフォルトのスマートウェアラブルデバイスであるか否かを決定する。したがって、スマートウェアラブルデバイスがデフォルトのスマートウェアラブルデバイスであるか否かを正確かつ迅速に決定することができる。
【００４５】
ステップＳ１０３では、スマートウェアラブルデバイスがデフォルトのスマートウェアラブルデバイスとして決定された場合に、既定のパラメータに基づいて、インテリジェント電気機器の動作モードを制御する。既定のパラメータは、スマートウェアラブルデバイスとインテリジェント電気機器との間の距離を反映するパラメータを含む。
【００４６】
一実施形態では、既定のパラメータのタイプは複数であってもよく、例えば、スマートウェアラブルデバイスとインテリジェント電気機器との間の距離及びメッセージの信号強度のうちの１種又は複数種であってもよい。
【００４７】
一実施形態では、ステップＳ１０３の前に、以下の任意の１つ又は複数のステップを含んでいてもよい。
【００４８】
図３Ａに示すように、ステップＳ３０１では、ＧＰＳ技術を通じて、スマートウェアラブルデバイスの位置を取得し、スマートウェアラブルデバイスの位置に基づいて、スマートウェアラブルデバイスとインテリジェント電気機器との間の距離を決定する。
【００４９】
ＧＰＳ技術は、スマートウェアラブルデバイスの位置を測位することができるため、スマートウェアラブルデバイスとインテリジェント電気機器との間の距離を容易に決定することができる。
【００５０】
図３Ｂに示すように、ステップＳ３０２では、赤外線探知技術を利用して、スマートウェアラブルデバイスを着用しているユーザとインテリジェント電気機器との距離とを決定する。
【００５１】
図３Ｃに示すように、ステップＳ３０３では、メッセージに基づいて、メッセージの信号強度を決定し、メッセージの信号強度に基づいて、スマートウェアラブルデバイスとインテリジェント電気機器との間の距離を決定する。
【００５２】
メッセージに基づいて、メッセージのＲＳＳＩ（Received Signal Strength Indicator、受信信号強度指標）が決定され、受信された信号の強弱により、信号発信点と信号受信点との距離が測定される。本ステップでは、信号発信点はスマートウェアラブルデバイスであり、信号受信点はインテリジェント電気機器であるため、メッセージの信号強度に基づいて、スマートウェアラブルデバイスとインテリジェント電気機器との間の距離を判断することができる。信号強度が強いほど、スマートウェアラブルデバイスとインテリジェント電気機器との距離が短いことを示し、信号強度が弱いほど、スマートウェアラブルデバイスとインテリジェント電気機器との距離が長いことを示す。メッセージの信号強度に基づいて、スマートウェアラブルデバイスとインテリジェント電気機器との間の距離が決定され、このとき信号強度は、信号強度として具体的に実施され得る。
【００５３】
図３Ａ、３Ｂ、３Ｃに示すように、ステップＳ１０３は、上述の３つのステップのうち任意の１つのステップとして実行されてもよく、同時に３つのステップ又はそのうち任意の２つのステップを含んでいてもよい。ステップＳ１０３が同時に３つのステップ又はそのうち任意の２つのステップを含んでいる場合には、これらのステップの実行順序は区別されない。
【００５４】
一実施形態では、図３Ｄに示すように、既定のパラメータがスマートウェアラブルデバイスとインテリジェント電気機器との間の距離を含んでいる場合には、ステップＳ１０３は、以下のステップＳ３０４及び／又はＳ３０５として実行されてもよい。
【００５５】
ステップＳ３０４では、既定の期間内において距離が第１閾値よりも小さい又は第１既定範囲内にある場合に、インテリジェント電気機器をオンにする。
【００５６】
例として、第１閾値が３ｍ、既定の期間が１分であるとして、スマートウェアラブルデバイスとインテリジェント電気機器との間の距離が１分間にわたって３ｍよりも小さかった場合、ユーザは該スマートウェアラブルデバイスを着用しているため、ユーザがインテリジェント電気機器から比較的近くにいるか、ユーザが家にいることが示される。このとき、インテリジェント電気機器をオンにする。
【００５７】
ステップＳ３０５では、既定の期間内において距離が第２閾値よりも大きい又は第２既定範囲内にある場合に、インテリジェント電気機器をオフにする。
【００５８】
第１閾値は、第２閾値よりも小さい又は等しく、第１既定範囲の最大値は、第２既定範囲の最小値よりも小さい又は等しい。
【００５９】
例として、既定のパラメータがスマートウェアラブルデバイスとインテリジェント電気機器との間の距離である場合に、第２閾値が６ｍ、既定の期間が２分であるとして実施されてもよく、ここでスマートウェアラブルデバイスとインテリジェント電気機器との間の距離が２分間にわたって６ｍよりも大きかった場合、ユーザは該スマートウェアラブルデバイスを着用しているため、ユーザがインテリジェント電気機器から比較的遠くにいるか、ユーザが家にいないことが示される。このとき、インテリジェント電気機器をオフにする。
【００６０】
図３Ｄは、ステップＳ１０３が上記２つのステップＳ３０４及びＳ３０５を同時に含んでいる状況を示している。この場合、これらのステップの実行順序は区別されない。あるいは、ステップＳ１０３は、ステップＳ３０４又はステップＳ３０５のうち任意の１つのステップのみを含んでいてもよい。
【００６１】
一実施形態では、図３Ｅに示すように、既定のパラメータがメッセージの信号強度を含んでいる場合には、ステップＳ１０３は、以下のステップＳ３０６及び／又はＳ３０７として実行されてもよい。
【００６２】
ステップＳ３０６では、既定の期間内において信号強度が第３閾値よりも大きい又は第３既定範囲内にある場合に、インテリジェント電気機器をオンにする。及び／又は、
ステップＳ３０７では、既定の期間内において信号強度が第４閾値よりも小さい又は第４既定範囲内にある場合に、インテリジェント電気機器をオフにする。
第３閾値は、第４閾値よりも大きい又は等しく、第３既定範囲の最小値は、第４既定範囲の最大値よりも大きい又は等しい。
【００６３】
具体的な実施の際には、受信されたメッセージの信号強度の強弱に基づいて、信号の発信点（スマートウェアラブルデバイス）と信号の受信点（インテリジェント電気機器）との距離を測定する。メッセージの信号強度は、強、弱の２段階に分類することができる。既定の期間内においてメッセージの信号強度が第３閾値よりも大きい又は第３既定範囲内にある場合には、対応するメッセージの信号強度は強であり、既定の期間内においてメッセージの信号強度が第４閾値よりも小さい又は第４既定範囲内にある場合には、対応するメッセージの信号強度は弱である。メッセージの信号強度が強である時には、インテリジェント電気機器をオンにし、メッセージの信号強度が弱である時には、インテリジェント電気機器をオフにする。
【００６４】
図３Ｅは、ステップＳ１０３が上記２つのステップＳ３０６及びＳ３０７を同時に含んでいる状況を示している。この場合、これらのステップの実行順序は区別されない。あるいは、ステップＳ１０３は、ステップＳ３０６又はステップＳ３０７のうち任意の１つのステップのみを含んでいてもよい。
【００６５】
一実施形態では、図４Ａに示すように、ステップＳ１０３は、以下のステップＳ４０１〜Ｓ４０２として実行されてもよい。
【００６６】
ステップＳ４０１では、既定のパラメータ範囲とインテリジェント電気機器の動作モードとの既定の対応関係に基づいて、既定のパラメータに対応するインテリジェント電気機器の動作モードを決定する。
【００６７】
ステップＳ４０２では、インテリジェント電気機器の動作モードを、既定のパラメータに対応するインテリジェント電気機器の動作モードに調整する。
【００６８】
インテリジェント電気機器がスマート空調機である場合には、スマート空調機の運転モードは、冷房モード、暖房モード及び送風モードを含み得る。既定のパラメータ範囲とインテリジェント電気機器の動作モードとの対応関係は、異なる運転モードの下で予め設定されていてもよい。例として、動作モードが送風モードである場合において、複数の距離範囲を予め設定することができ、例えば、複数の距離範囲を０〜３ｍ、３〜５ｍ、５〜６ｍとすると、これら３つの距離範囲は、低風速、中風速、高風速の動作モードにそれぞれ対応しており、スマートウェアラブルデバイスとスマート空調機との距離が５ｍである場合には、スマート空調機の動作モードが自動的に中風速に調整される。上述の実施形態では、既定のパラメータに基づいてインテリジェント電気機器の動作モードを調整することができ、それによってユーザの要求を満たすことができる。
【００６９】
一実施形態では、図４Ｂに示すように、上記方法はさらに、以下のステップＳ４０３〜Ｓ４０７を含んでいてもよい。
【００７０】
ステップＳ４０３では、スマートウェアラブルデバイスによって放送されたメッセージを取得する。
【００７１】
ステップＳ４０４では、メッセージに基づいて、スマートウェアラブルデバイスがデフォルトのスマートウェアラブルデバイスであるか否かを判断する。
【００７２】
ステップＳ４０５では、メッセージに基づいて、メッセージの信号強度を決定し、メッセージの信号強度に基づいて、スマートウェアラブルデバイスとインテリジェント電気機器との間の距離を決定する。
【００７３】
ステップＳ４０６では、スマートウェアラブルデバイスがデフォルトのスマートウェアラブルデバイスとして決定された場合に、既定のパラメータに基づいて、インテリジェント電気機器の動作モードを制御する。既定のパラメータは、スマートウェアラブルデバイスとインテリジェント電気機器との間の距離を反映するパラメータを含む。
【００７４】
ステップＳ４０７では、既定の期間内にスマートウェアラブルデバイスによって放送されたメッセージを受信しなかった場合、又は、メッセージに基づいて、スマートウェアラブルデバイスがデフォルトのスマートウェアラブルデバイスであるか否かを判断できなかった場合に、インテリジェント電気機器を既定の動作モードに調整する。
【００７５】
インテリジェント電気機器は、スマートウェアラブルデバイスによって放送されたメッセージを受信できなった場合、又は、スマートウェアラブルデバイスによって放送されたメッセージからデータを読み取れなかった場合、又は、メッセージに基づいて、スマートウェアラブルデバイスがデフォルトのスマートウェアラブルデバイスであるか否かを判断できなかった場合に、スマートウェアラブルデバイスが離脱状態、オフ状態又は故障状態にあることを決定する。このとき、インテリジェント電気機器は、既定の動作モードに調整されてもよい。
【００７６】
例えば、スマートウェアラブルデバイスがオフ状態又は故障状態である場合には、インテリジェント電気機器は待機スリープモードに調整される。スマートウェアラブルデバイスが離脱状態である場合には、インテリジェント電気機器は低消費電力スリープモードに調整される。スリープモードは種々のサブモードを含んでいてもよい。そのパラメータは、ユーザ自身によって予め設定されていてもよく、スマートウェアラブルデバイスの発信する履歴データを学習することによって取得されてもよい。
【００７７】
本開示の実施形態における上記方法によれば、スマートウェアラブルデバイスとインテリジェント電気機器との間の距離に基づいてインテリジェント電気機器をスマートに制御することができ、それによって、ユーザによる手動操作の必要がなくなり、ユーザエクスペリエンスが向上する。
【００７８】
以下、具体的な実施形態を用いて、本開示の実施形態により提供される上述の技術的解決手段を説明する。
【００７９】
本開示の実施形態により提供されるインテリジェント電気機器を動作させる方法を用いるに際し、スマートウェアラブルデバイスはスマートバンドであり、インテリジェント電気機器はスマート空調機である場合において、図５に示すように、スマート空調機は、以下のステップを実行する。
【００８０】
ステップＳ５０１では、スマート空調機は、スマートウェアラブルデバイスによって放送されたメッセージを受信する。
【００８１】
ステップＳ５０２では、スマート空調機は、メッセージ中の該スマートウェアラブルデバイスのＭＡＣアドレスを解析して、該ＭＡＣアドレスがスマート空調機にバインドしたスマートウェアラブルデバイスのアドレスであるか否かを判断する。
【００８２】
ステップＳ５０３では、該ＭＡＣアドレスがスマート空調機にバインドしたスマートウェアラブルデバイスのアドレスである場合には、ＧＰＳ技術を通じて、スマートウェアラブルデバイスの位置を取得し、スマートウェアラブルデバイスの位置に基づいて、スマートウェアラブルデバイスとインテリジェント電気機器との間の距離を決定する。
【００８３】
ステップＳ５０４では、メッセージの信号強度を取得する。
【００８４】
ステップＳ５０５では、スマートウェアラブルデバイスとインテリジェント電気機器との間の距離に基づいてスマート空調機をオンにすべきか否かを判断して第１判断結果を取得すると共に、メッセージの信号強度に基づいて、スマート空調機をオンにするか否かを判断して第２判断結果を取得する。
【００８５】
ステップＳ５０６では、第１判断結果と第２判断結果とが同じ場合には、それに基づいてスマート空調機の動作モードを制御する。第１判断結果と第２判断結果が同じであることは、スマートウェアラブルデバイスとインテリジェント電気機器との間の距離及びメッセージの信号強度の両方に基づいて、スマート空調機をオンまたはオフにすると判断されることを示している。
【００８６】
ステップＳ５０７では、第１判断結果と第２判断結果とが異なる場合には、調整を中止するか、引き続きステップＳ５０３に戻って再判断を行う。再判断をＮ回行った結果が依然として「第１判断結果と第２判断結果とが異なる」である場合には、調整を中止する。ここで、Ｎは２以上である。再判断の回数がＮ回になる前に「第１判断結果と第２判断結果とが同じ」との結果が得られた場合には、その結果に基づいてスマート空調機の動作モードを制御する。
【００８７】
一実施形態では、前記インテリジェント電気機器は、スマート空調機、スマートテレビ、インテリジェントランプ、スマートタブレットコンピュータ、インテリジェント電気温水器などを含んでいてもよい。
【００８８】
一実施形態において、インテリジェント電気機器がスマート空調機である場合には、図６に示すように、該方法は、以下のステップＳ６０１〜Ｓ６０６を含んでいてもよい。
【００８９】
ステップＳ６０１では、スマートウェアラブルデバイスによって放送されたメッセージを取得する。
【００９０】
ステップＳ６０２では、メッセージに基づいて、スマートウェアラブルデバイスがデフォルトのスマートウェアラブルデバイスであるか否かを判断する。
【００９１】
ステップＳ６０３では、メッセージに基づいて、メッセージの信号強度を決定し、メッセージの信号強度に基づいて、スマートウェアラブルデバイスとインテリジェント電気機器との間の距離を決定する。
【００９２】
ステップＳ６０４では、スマートウェアラブルデバイスがデフォルトのスマートウェアラブルデバイスとして決定された場合に、既定のパラメータに基づいて、インテリジェント電気機器の動作モードを制御する。既定のパラメータは、スマートウェアラブルデバイスとインテリジェント電気機器との間の距離を反映するパラメータを含む。
【００９３】
ステップＳ６０５では、メッセージの信号発信方向を取得する。
【００９４】
ステップＳ６０６では、メッセージの信号発信方向に基づいて、スマート空調機のスイング風方向を制御する。
【００９５】
本実施形態では、メッセージの信号発信方向に基づいて、メッセージの発信点すなわちスマートウェアラブルデバイスの方向を決定することができる。したがって、ユーザの方向を決定することができ、それによりスマート空調機のスイング風方向を制御することができる。例えば、ユーザがスマート空調機の右側の所定の位置にいる場合に、空調機は左側に向かって送風するように制御されてもよく、それによって風の出口がユーザに直接対面することを避けることができる。
【００９６】
以下の本開示の装置の実施形態は、本開示の方法の実施形態を実行するために用いることができる。
【００９７】
図７は、例示の実施形態に基づくインテリジェント電気機器を動作させる装置を示すブロック図である。該デバイスは、ソフトウェア、ハードウェア又はそれらの組み合わせを通じて、インテリジェント電気機器の一部又は全部として実施され得る。図７に示すように、該インテリジェント電気機器を動作させる装置は、
スマートウェアラブルデバイスによって放送されたメッセージを取得するように構成された第１取得モジュール７１と、
メッセージに基づいて、スマートウェアラブルデバイスがデフォルトのスマートウェアラブルデバイスであるか否かを判断するように構成された判断モジュール７２と、
スマートウェアラブルデバイスがデフォルトのスマートウェアラブルデバイスとして決定された場合に、既定のパラメータに基づいて、インテリジェント電気機器の動作モードを制御するように構成された第１制御モジュールであって、既定のパラメータは、スマートウェアラブルデバイスとインテリジェント電気機器との間の距離を反映するパラメータを含む第１制御モジュール７３と
を含んでいる。
【００９８】
一実施形態では、図８に示すように、判断モジュール７２が、
メッセージからスマートウェアラブルデバイスの識別子を取得するように構成された取得サブモジュール８１と、
識別子がインテリジェント電気機器を制御するための端末中に予め設定された第１デバイス識別子であるか否か、又は、識別子がインテリジェント電気機器にバインドした第２デバイス識別子であるか否か、又は、識別子が第１デバイス識別子及び第２デバイス識別子の両方であるか否かを判断するように構成された判断サブモジュール８２と、
判断の結果が是である場合には、スマートウェアラブルデバイスがデフォルトのスマートウェアラブルデバイスであると決定するように構成された第１決定サブモジュール８３と、
判断の結果が否である場合には、スマートウェアラブルデバイスがデフォルトのスマートウェアラブルデバイスでないと決定するように構成された第２決定サブモジュール８４と
を含んでいてもよい。
【００９９】
一実施形態では、スマートウェアラブルデバイスの識別子は、スマートウェアラブルデバイスのハードウェアアドレスを含んでいてもよく、スマートウェアラブルデバイスの唯一の名称を含んでいてもよい。
【０１００】
一実施形態では、既定のパラメータは、スマートウェアラブルデバイスとインテリジェント電気機器との間の距離及びメッセージの信号強度のうち任意の１つ又は複数を含んでいてもよい。
【０１０１】
一実施形態では、図９に示すように、上記装置が、
ＧＰＳ技術を通じて、スマートウェアラブルデバイスの位置を取得し、スマートウェアラブルデバイスの位置に基づいて、スマートウェアラブルデバイスとインテリジェント電気機器との間の距離を決定するように構成された第１決定モジュール７４、又は、
赤外線探知技術を利用して、スマートウェアラブルデバイスとインテリジェント電気機器との距離とを決定するように構成された第２決定モジュール７５、又は、
メッセージに基づいて、メッセージの信号強度を決定するように構成された第３決定モジュール７６
のうち任意の１つ又は複数のモジュールを含んでいてもよい。
【０１０２】
一実施形態では、図１０に示すように、既定のパラメータがスマートウェアラブルデバイスとインテリジェント電気機器との間の距離を含んでいる場合に、第１制御モジュール７３が、
既定の期間内において距離が第１閾値よりも小さい又は第１既定範囲内にある場合に、インテリジェント電気機器をオンにするように構成された第１オン化サブモジュール１０１、及び／又は、
既定の期間内において距離が第２閾値よりも大きい又は第２既定範囲内にある場合に、インテリジェント電気機器をオフにするように構成された第１オフ化サブモジュール１０２を含んでいてもよく、
第１閾値は、第２閾値よりも小さい又は等しく、第１既定範囲の最大値は、第２既定範囲の最小値よりも小さい又は等しい。
【０１０３】
一実施形態では、図１１に示すように、既定のパラメータがメッセージの信号強度を含んでいる場合に、第１制御モジュール７３が、
既定の期間内において信号強度が第３閾値よりも大きい又は第３既定範囲内にある場合に、インテリジェント電気機器をオンにするように構成された第２オン化サブモジュール１１１、及び／又は、
既定の期間内において信号強度が第４閾値よりも小さい又は第４既定範囲内にある場合に、インテリジェント電気機器をオフにするように構成された第２オフ化サブモジュール１１２を含んでいてもよく、
第３閾値は、第４閾値よりも大きい又は等しく、第３既定範囲の最小値は、第４既定範囲の最大値よりも大きい又は等しい。
【０１０４】
一実施形態では、図１２に示すように、第１制御モジュール７３が、
既定のパラメータ範囲とインテリジェント電気機器の動作モードとの既定の対応関係に基づいて、既定のパラメータに対応するインテリジェント電気機器の動作モードを決定するように構成された第３決定サブモジュール１２１と、
インテリジェント電気機器の動作モードを、既定のパラメータに対応するインテリジェント電気機器の動作モードに調整するように構成された調整サブモジュール１２２と
を含んでいてもよい。
【０１０５】
一実施形態では、インテリジェント電気機器が、スマート空調機、スマートテレビ、インテリジェントランプ、スマートタブレットコンピュータ、インテリジェント電気温水器を含んでいてもよい。
【０１０６】
一実施形態では、インテリジェント電気機器がスマート空調機である場合に、図１３に示すように、上記装置が、
メッセージの信号発信方向を取得するように構成された第２取得モジュール７７と、
メッセージの信号発信方向に基づいて、スマート空調機のスイング風方向を制御するように構成された第２制御モジュール７８と
をさらに含んでいてもよい。
【０１０７】
一実施形態では、図１４に示すように、上記装置が、
既定の期間内にスマートウェアラブルデバイスによって放送されたメッセージを受信しなかった場合、又は、メッセージに基づいて、スマートウェアラブルデバイスがデフォルトのスマートウェアラブルデバイスであるか否かを判断できなかった場合に、インテリジェント電気機器の動作モードを既定の動作モードに調整するように構成された調整モジュール７９をさらに含んでいてもよい。
【０１０８】
本開示における実施形態の第三態様によれば、インテリジェント電気機器を動作させる装置であって、
プロセッサと、
プロセッサにより実行可能な命令を保存するためのメモリと
を含んでおり、
プロセッサは、
スマートウェアラブルデバイスによって放送されたメッセージを取得し、
メッセージに基づいて、スマートウェアラブルデバイスがデフォルトのスマートウェアラブルデバイスであるか否かを判断し、
スマートウェアラブルデバイスがデフォルトのスマートウェアラブルデバイスとして決定された場合に、既定のパラメータに基づいて、インテリジェント電気機器の動作モードを制御し、既定のパラメータは、スマートウェアラブルデバイスとインテリジェント電気機器との間の距離を反映するパラメータを含む、
ように構成されている装置が提供される。
【０１０９】
上記プロセッサに関し、メッセージに基づいて、スマートウェアラブルデバイスがデフォルトのスマートウェアラブルデバイスであるか否かを、
メッセージからスマートウェアラブルデバイスの識別子を取得し、
識別子がインテリジェント電気機器を制御するための端末中に予め設定された第１デバイス識別子であるか否か、又は、識別子がインテリジェント電気機器にバインドした第２デバイス識別子であるか否か、又は、識別子が第１デバイス識別子及び第２デバイス識別子の両方であるか否かを判断し、
判断の結果が是である場合には、スマートウェアラブルデバイスがデフォルトのスマートウェアラブルデバイスであると決定し、
判断の結果が否である場合には、スマートウェアラブルデバイスがデフォルトのスマートウェアラブルデバイスでないと決定する
ことによって判断してもよい。
【０１１０】
上記プロセッサに関し、スマートウェアラブルデバイスの識別子が、スマートウェアラブルデバイスのハードウェアアドレス又はスマートウェアラブルデバイスの唯一の名称を含んでいてもよい。
【０１１１】
一実施形態では、既定のパラメータが、スマートウェアラブルデバイスとインテリジェント電気機器との間の距離及びメッセージの信号強度のうち任意の１つ又は複数を含んでいてもよい。
【０１１２】
上記プロセッサに関し、既定のパラメータに基づいてインテリジェント電気機器の動作モードを制御する前に、該プロセッサが、さらに、
ＧＰＳ技術を通じて、スマートウェアラブルデバイスの位置を取得し、スマートウェアラブルデバイスの位置に基づいて、スマートウェアラブルデバイスとインテリジェント電気機器との間の距離を決定すること、又は、
赤外線探知技術を利用して、スマートウェアラブルデバイスとインテリジェント電気機器との距離とを決定すること、又は、
メッセージに基づいて、メッセージの信号強度を決定すること
のうち任意の１つの操作又は複数の操作を実行するように構成されていてもよい。
【０１１３】
上記プロセッサに関し、該プロセッサが、既定のパラメータに基づいて、インテリジェント電気機器の動作モードを、
既定の期間内において距離が第１閾値よりも小さい又は第１既定範囲内にある場合に、インテリジェント電気機器をオンにする、及び／又は、
既定の期間内において距離が第２閾値よりも大きい又は第２既定範囲内にある場合に、インテリジェント電気機器をオフにすることによって制御してもよく、このとき、
第１閾値は、第２閾値よりも小さい又は等しく、第１既定範囲の最大値は、第２既定範囲の最小値よりも小さい又は等しい。
【０１１４】
上記プロセッサに関し、既定のパラメータがメッセージの信号強度を含んでいる場合に、該プロセッサが、既定のパラメータに基づいて、インテリジェント電気機器の動作モードを、
既定の期間内において信号強度が第３閾値よりも大きい又は第３既定範囲内にある場合に、インテリジェント電気機器をオンにする、及び／又は、
既定の期間内において信号強度が第４閾値よりも小さい又は第４既定範囲内にある場合に、インテリジェント電気機器をオフにすることによって制御してもよく、このとき、
第３閾値は、第４閾値よりも大きい又は等しく、第３既定範囲の最小値は、第４既定範囲の最大値よりも大きい又は等しい。
【０１１５】
上記プロセッサに関し、該プロセッサが、既定のパラメータに基づいて、インテリジェント電気機器の動作モードを、
既定のパラメータ範囲とインテリジェント電気機器の動作モードとの既定の対応関係に基づいて、既定のパラメータに対応するインテリジェント電気機器の動作モードを決定し、
インテリジェント電気機器の動作モードを、既定のパラメータに対応するインテリジェント電気機器の動作モードに調整する
ことによって制御してもよい。
【０１１６】
上記プロセッサに関し、インテリジェント電気機器が、スマート空調機、スマートテレビ、インテリジェントランプ、スマートタブレットコンピュータ、インテリジェント電気温水器を含んでいてもよい。
【０１１７】
上記プロセッサに関し、既定の期間内にスマートウェアラブルデバイスによって放送されたメッセージを受信しなかった場合、又は、メッセージに基づいて、スマートウェアラブルデバイスがデフォルトのスマートウェアラブルデバイスであるか否かを判断できなかった場合に、インテリジェント電気機器の動作モードが既定の動作モードに調整される。
【０１１８】
上記プロセッサに関し、インテリジェント電気機器がスマート空調機である場合に、該プロセッサが、さらに、
メッセージの信号発信方向を取得し、
メッセージの信号発信方向に基づいて、スマート空調機のスイング風方向を制御する
ように構成されていてもよい。
【０１１９】
図１５は、本開示の例示の実施形態に基づくインテリジェント電気機器を作動させる装置を表すブロック図である。例えば、装置１２００は、携帯電話、コンピュータ、デジタルブロードキャスト端末、メッセージ送受信デバイス、ゲームコンソール、タブレットデバイス、医療機器、健康器具、パーソナルデジタルアシスタンス（ＰＤＡ）等であってもよい。
【０１２０】
装置１２００は、以下の１つ又は複数のコンポーネント、すなわち、処理コンポーネント１２０２、メモリ１２０４、電源コンポーネント１２０６、マルチメディアコンポーネント１２０８、オーディオコンポーネント１２１０、入力／出力（Ｉ／Ｏ）インタフェース１２１２、センサコンポーネント１２１４及び通信コンポーネント１２１６を含んでいてもよい。
【０１２１】
処理コンポーネント１２０２は、典型的には、装置１２００の全体的な操作、例えば、表示、電話呼出し、データ通信、カメラ操作及び記録操作に関する操作などを制御する。処理コンポーネント１２０２は、上述の方法におけるステップの全部又は一部を実施するための命令を実行する１つ又は複数のプロセッサ１２２０を含んでいてもよい。さらに、処理コンポーネント１２０２は、処理コンポーネント１２０２と他のコンポーネントとの間の対話を容易にする１つ又は複数のモジュールを含んでいてもよい。例えば、処理コンポーネント１２０２は、マルチメディアコンポーネント１２０８と処理コンポーネント１２０２との間の対話を容易にするマルチメディアモジュールを含んでいてもよい。
【０１２２】
メモリ１２０４は、装置１２００の操作をサポートするための種々のタイプのデータを保存するように構成されている。このようなデータの例には、装置１２００上において操作される任意のアプリケーション又は方法のための命令、連絡先データ、電話帳データ、メッセージ、ピクチャ、ビデオ等が含まれる。メモリ１２０４は、任意のタイプの揮発性若しくは不揮発性メモリデバイス、又はそれらの組み合わせを用いて実装されていてもよく、例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスク又は光ディスクを用いて実装されていてもよい。
【０１２３】
電源コンポーネント１２０６は、装置１２００の種々のコンポーネントに電力を供給する。電源コンポーネント１２０６は、電源管理システム、１つ又は複数の電源、及び、装置１２００において電力を生成、管理及び分配することに関する任意の他のコンポーネントを含んでいてもよい。
【０１２４】
マルチメディアコンポーネント１２０８は、装置１２００とユーザとの間に出力インタフェースを提供するスクリーンを含む。いくつかの実施形態では、スクリーンは液晶ディスプレイ（ＬＣＤ）及びタッチパネル（ＴＰ）を含んでいてもよい。スクリーンがタッチパネルを含んでいる場合には、スクリーンはユーザからの入力信号を受信するためのタッチスクリーンとして実装されていてもよい。タッチパネルは、タッチ、スワイプ及びタッチパネル上における他のジェスチャを感知するための１つ又は複数のタッチセンサを含む。上記タッチセンサは、タッチ又はスワイプ動作の境界を感知してもよく、それだけでなくタッチ又はスワイプ動作に関する持続時間及び圧力を感知してもよい。いくつかの実施形態では、マルチメディアコンポーネント１２０８は、前面カメラ及び／又は背面カメラを含む。装置１２００が撮影モード又はビデオモードのような動作モードにある際には、前面カメラ及び背面カメラは、外部マルチメディアデータを受信してもよい。前面カメラ及び背面カメラはそれぞれ、固定式光学レンズシステムであってもよく、フォーカス機能及び光学ズーム機能を有していてもよい。
【０１２５】
オーディオコンポーネント１２１０は、オーディオ信号を出力及び／又は入力するように構成されている。例えば、オーディオコンポーネント１２１０はマイク（ＭＩＣ）を含んでおり、該マイクは、装置１２００が呼出しモード、記録モード及び音声認識モードのような動作モードにある際に、外部オーディオ信号を受信するように構成されている。受信されたオーディオ信号は、さらに、メモリ１２０４内に保存されてもよく、通信コンポーネント１２１６を経由して送信されてもよい。いくつかの実施形態では、オーディオコンポーネント１２１０は、オーディオ信号を出力するためのスピーカをさらに含んでいてもよい。
【０１２６】
Ｉ／Ｏインタフェース１２１２は、処理コンポーネント１２０２と、キーボード、クリックホイール、ボタン等の周辺インタフェースモジュールとの間に、インタフェースを提供する。該ボタンは、限定されないが、ホームボタン、ボリュームボタン、スタートボタン及びロックボタンを含んでいてもよい。
【０１２７】
センサコンポーネント１２１４は、装置１２００における種々の様相の状態評価を提供するための１つ又は複数のセンサを含む。例えば、センサコンポーネント１２１４は、装置１２００のオープン／クローズ状態及びコンポーネントの相対位置を検出してもよく、例えば、該コンポーネントは、装置１２００のディスプレイ及びキーパッドであってもよい。センサコンポーネント１２１４はまた、装置１２００又は装置１２００のコンポーネントの位置の変化、装置１２００とコンタクトを取っているユーザの存在又は不存在、装置１２００の向き又は加速／減速、及び装置１２００の温度変化を検出してもよい。センサコンポーネント１２１４は、物理的接触のない状態で近くの物体の存在を検出するように構成された近接センサを含んでいてもよい。センサコンポーネント１２１４はまた、撮影アプリケーションにおいて使用するための、ＣＭＯＳ又はＣＣＤイメージセンサのような光センサを含んでいてもよい。いくつかの実施形態では、センサコンポーネント１２１４はまた、加速度センサ、ジャイロセンサ、磁気センサ、圧力センサ又は温度センサを含んでいてもよい。
【０１２８】
通信コンポーネント１２１６は、装置１２００と他の装置との間の有線又は無線の通信を容易にするように構成されている。装置１２００は、ＷｉＦｉ、２Ｇ若しくは３Ｇ、又はそれらの組み合わせのような通信規格に基づく無線ネットワークにアクセスすることができる。例示の一実施形態では、通信コンポーネント１２１６は、ブロードキャストチャンネルを経由して、外部ブロードキャスト管理システムからのブロードキャスト信号又はブロードキャスト関連情報を受信する。例示の一実施形態では、通信コンポーネント１２１６は、短距離通信を促進するための近距離通信（ＮＦＣ）モジュールをさらに含む。例えば、ＮＦＣモジュールは、無線周波数識別（ＲＦアイデンティティ）技術、赤外線データ協会（ＩｒＤＡ）技術、超広帯域（ＵＷＢ）技術、Ｂｌｕｅｔｏｏｔｈ（登録商標）（ＢＴ）技術及び他の技術に基づいて実装されていてもよい。
【０１２９】
例示の実施形態では、装置１２００は、上述の方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品により実装されていてもよい。
【０１３０】
命令を保存している非一時的なコンピュータ読み取り可能記憶媒体は、該記憶媒体中の命令が装置１２００のプロセッサにより実行される際に、該装置にインテリジェント電気機器を動作させる上記方法を実行させる。該方法は、
スマートウェアラブルデバイスによって放送されたメッセージを取得することと、
メッセージに基づいて、スマートウェアラブルデバイスがデフォルトのスマートウェアラブルデバイスであるか否かを判断することと、
スマートウェアラブルデバイスがデフォルトのスマートウェアラブルデバイスとして決定された場合に、既定のパラメータに基づいて、インテリジェント電気機器の動作モードを制御することであって、既定のパラメータは、スマートウェアラブルデバイスとインテリジェント電気機器との間の距離を反映するパラメータを含む、ことと
を含んでいる。
【０１３１】
一実施形態では、メッセージに基づいて、スマートウェアラブルデバイスがデフォルトのスマートウェアラブルデバイスであるか否かを判断することが、
メッセージからスマートウェアラブルデバイスの識別子を取得することと、
識別子がインテリジェント電気機器を制御するための端末中に予め設定された第１デバイス識別子であるか否か、又は、識別子がインテリジェント電気機器にバインドした第２デバイス識別子であるか否か、又は、識別子が第１デバイス識別子及び第２デバイス識別子の両方であるか否かを判断することと、
判断の結果が是である場合には、スマートウェアラブルデバイスがデフォルトのスマートウェアラブルデバイスであると決定することと、
判断の結果が否である場合には、スマートウェアラブルデバイスがデフォルトのスマートウェアラブルデバイスでないと決定することと、
を含んでいてもよい。
【０１３２】
一実施形態では、スマートウェアラブルデバイスの識別子が、スマートウェアラブルデバイスのハードウェアアドレス又はスマートウェアラブルデバイスの唯一の名称を含んでいてもよい。
【０１３３】
一実施形態では、既定のパラメータが、スマートウェアラブルデバイスとインテリジェント電気機器との間の距離及びメッセージの信号強度のうち任意の１つ又は複数を含んでいてもよい。
【０１３４】
一実施形態では、既定のパラメータに基づいてインテリジェント電気機器の動作モードを制御する前に、方法が、
ＧＰＳ技術を通じて、スマートウェアラブルデバイスの位置を取得し、スマートウェアラブルデバイスの位置に基づいて、スマートウェアラブルデバイスとインテリジェント電気機器との間の距離を決定すること、
赤外線探知技術を利用して、スマートウェアラブルデバイスとインテリジェント電気機器との距離とを決定すること、及び、
メッセージに基づいて、メッセージの信号強度を決定すること
のうち任意の１つの操作又は複数の操作を含んでいてもよい。
【０１３５】
一実施形態では、既定のパラメータに基づいて、インテリジェント電気機器の動作モードを制御することが、
既定の期間内において距離が第１閾値よりも小さい又は第１既定範囲内にある場合に、インテリジェント電気機器をオンにすること、及び／又は、
既定の期間内において距離が第２閾値よりも大きい又は第２既定範囲内にある場合に、インテリジェント電気機器をオフにすることを含んでいてもよく、
第１閾値は、第２閾値よりも小さい又は等しく、第１既定範囲の最大値は、第２既定範囲の最小値よりも小さい又は等しい。
【０１３６】
一実施形態では、既定のパラメータがメッセージの信号強度を含んでいる場合に、既定のパラメータに基づいて、インテリジェント電気機器の動作モードを制御することが、
既定の期間内において信号強度が第３閾値よりも大きい又は第３既定範囲内にある場合に、インテリジェント電気機器をオンにすること、及び／又は、
既定の期間内において信号強度が第４閾値よりも小さい又は第４既定範囲内にある場合に、インテリジェント電気機器をオフにすることを含んでいてもよく、
第３閾値は、第４閾値よりも大きい又は等しく、第３既定範囲の最小値は、第４既定範囲の最大値よりも大きい又は等しい。
【０１３７】
一実施形態では、既定のパラメータに基づいて、インテリジェント電気機器の動作モードを制御することが、
既定のパラメータ範囲とインテリジェント電気機器の動作モードとの既定の対応関係に基づいて、既定のパラメータに対応するインテリジェント電気機器の動作モードを決定することと、
インテリジェント電気機器の動作モードを、既定のパラメータに対応するインテリジェント電気機器の動作モードに調整することと
を含んでいてもよい。
【０１３８】
一実施形態では、インテリジェント電気機器が、スマート空調機、スマートテレビ、インテリジェントランプ、スマートタブレットコンピュータ、インテリジェント電気温水器を含んでいてもよい。
【０１３９】
一実施形態では、既定の期間内にスマートウェアラブルデバイスによって放送されたメッセージを受信しなかった場合、又は、メッセージに基づいて、スマートウェアラブルデバイスがデフォルトのスマートウェアラブルデバイスであるか否かを判断できなかった場合に、インテリジェント電気機器の動作モードを既定の動作モードに調整する。
【０１４０】
一実施形態では、インテリジェント電気機器がスマート空調機である場合に、方法が、
メッセージの信号発信方向を取得することと、
メッセージの信号発信方向に基づいて、スマート空調機のスイング風方向を制御することと
をさらに含んでいてもよい。
【０１４１】
当業者は、明細書及び本明細書に開示された本開示の実施を考慮して、本発明の他の実施形態に容易に想到するであろう。本出願は、本開示の任意の変形、使用又は翻案に及ぶことを意図しており、これらの変形、使用又は翻案は、本発明の一般的な原理に従うものであると共に、当該技術分野における公知技術又は慣用技術の範囲内における本開示からの逸脱を含む。明細書及び実施例は単なる例示とみなされ、本開示の真の範囲及び趣旨は以下の特許請求の範囲によって示されることが意図される。
【０１４２】
本開示は、上述の及び添付の図面に図示された厳密な構成に限定されるものではなく、本開示の範囲から逸脱することなく、様々な修正及び変更がなされ得ることを理解されたい。本開示の範囲は、添付の特許請求の範囲によってのみ限定される。
【図１】
0006782229.tif 000002
【図２】
0006782229.tif 000003
【図３Ａ】
0006782229.tif 000004
【図３Ｂ】
0006782229.tif 000005
【図３Ｃ】
0006782229.tif 000006
【図３Ｄ】
0006782229.tif 000007
【図３Ｅ】
0006782229.tif 000008
【図４Ａ】
0006782229.tif 000009
【図４Ｂ】
0006782229.tif 000010
【図５】
0006782229.tif 000011
【図６】
0006782229.tif 000012
【図７】
0006782229.tif 000013
【図８】
0006782229.tif 000014
【図９】
0006782229.tif 000015
【図１０】
0006782229.tif 000016
【図１１】
0006782229.tif 000017
【図１２】
0006782229.tif 000018
【図１３】
0006782229.tif 000019
【図１４】
0006782229.tif 000020
【図１５】
0006782229.tif 000021